(57)【要約】【課題】  撮像した画像についてのスライドショー作成にかかる作業を軽減し、且つ多数の機器で当該スライドショーを視聴可能とする電子カメラ装置を提供する。【解決手段】  光学像を電気信号に変換する撮像手段（撮像素子１０３）と、前記撮像手段により得られる画像を記憶媒体に記憶させる記憶手段（ＨＤＤ１０７、メモリカード１０９）と、前記記憶媒体に記憶された画像を所定のタイミングで切り換えるスライドショーを作成するスライドショー作成手段（ＣＰＵ１０１）と、前記スライドショー作成手段により作成されるスライドショーからデジタル動画データを生成する動画データ生成手段（ＭＰＥＧ圧縮伸張回路１０６）とを備えることにより、スライドショーに関するＭＰＥＧ等の動画データを作成する。【選択図】      図２
2006279834.tif 000002
【特許請求の範囲】
【請求項１】
光学像を電気信号に変換する撮像手段と、
前記撮像手段により得られる画像を記憶媒体に記憶させる記憶手段と、
前記記憶媒体に記憶された画像を所定のタイミングで切り替えて再生するスライドショー再生を行うスライドショー再生手段と、
前記スライドショー再生手段によるスライドショー再生からデジタル動画データを生成する動画データ生成手段と
を備えることを特徴とする電子カメラ装置。
【請求項２】
請求項１記載の電子カメラ装置において、
前記記憶手段は、前記動画データ生成手段により生成されたデジタル動画データを前記記憶媒体に記憶させること
を特徴とする請求項１記載の電子カメラ装置。
【請求項３】
請求項１記載の電子カメラ装置において、
前記動画データ生成手段により生成されるデジタル動画データを外部のデジタル機器に転送する転送手段
をさらに備えることを特徴とする電子カメラ装置。
【請求項４】
前記動画データ生成手段は、前記スライドショー再生手段によるスライドショー再生からＤＶＤ−Ｖｉｄｅｏフォーマットのデジタル動画データを生成すること
を特徴とする請求項１又は請求項３記載の電子カメラ装置。
【請求項５】
前記動画データ生成手段は、前記記憶媒体に記憶された音声データ及び前記スライドショー再生手段によるスライドショー再生からデジタル動画データを生成すること
を特徴とする請求項１記載の電子カメラ装置。
【請求項６】
前記スライドショー再生手段は、画像を切り換える際に所定のアニメーションを挿入してスライドショー再生を行うこと
を特徴とする請求項１記載の電子カメラ装置。
【発明の詳細な説明】
【技術分野】
【０００１】
本発明は、電子カメラ装置に関する。
【背景技術】
【０００２】
従来より、複数の静止画を１個のファイルとしてまとめる画像処理装置が考えられている(例えば、特許文献１参照)。特許文献１では、静止画像を複数枚纏めた１つの画像群ファイルを生成し、そのヘッダ部分に静止画像の出力順序を記載し、結果としてスライドショー的な表示を行うことを可能とする画像処理装置が記載されている。尚ここでスライドショーとは、画像を所定のタイミングで順番に表示するものをいう。
【特許文献１】特開２００４−２５４１０１号公報
【発明の開示】
【発明が解決しようとする課題】
【０００３】
しかしながら、特許文献１記載の画像処理装置が作成する画像群ファイルは、このファイルを扱うことができる装置でしか再生することができず、汎用性が低い。例えば、このファイルに対応したアプリケーションソフトのインストールされていないＰＣ（Ｐｅｒｓｏｎａｌ  Ｃｏｍｐｕｔｅｒ）や、ＤＶＤ（Ｄｉｇｉｔａｌ  Ｖｅｒｓａｔｉｌｅ  Ｄｉｓｋ）プレーヤ等ではこのスライドショーを再生することができない。
【０００４】
また、ＰＣのアプリケーションソフトの中には、ユーザが選択した任意の画像からスライドショーを作成し、これを例えばＭＰＥＧ２（Ｍｏｖｉｎｇ  Ｐｉｃｔｕｒｅ  Ｅｘｐｅｒｔｓ  Ｇｒｏｕｐ）等の広く普及した規格のデジタル動画像データに変換する機能を有するものもある。しかしながら、例えば電子カメラ装置で撮像した画像データにこのようなアプリケーションを使用するには、ユーザは一度ＰＣに画像データを移動させる必要がある。このスライドショーの動画像データを他の機器で視聴する場合には、さらにこのＰＣを例えばＤＶＤプレーヤやＨＤＤプレーヤ等、或いはテレビに繋ぐ必要があり、ユーザにとってその作業は煩わしい。
【０００５】
そこで本発明は、撮像した画像についてのスライドショー作成にかかる作業を軽減し、且つ多数の機器で当該スライドショーを視聴可能とする電子カメラ装置を提供することを目的とする。
【課題を解決するための手段】
【０００６】
上記目的を達成するために、本発明の電子カメラ装置は、光学像を電気信号に変換する撮像手段と、前記撮像手段により得られる画像を記憶媒体に記憶させる記憶手段と、前記記憶媒体に記憶された画像を所定のタイミングで切り替えて再生するスライドショー再生を行うスライドショー再生手段と、前記スライドショー再生手段によるスライドショー再生からデジタル動画データを生成する動画データ生成手段とを備えることを特徴とする。
【発明の効果】
【０００７】
本発明によれば、撮像した画像についてのスライドショー作成にかかる作業を軽減し、且つ多数の機器で当該スライドショーを視聴可能とする電子カメラ装置を提供することができる。
【発明を実施するための最良の形態】
【０００８】
以下、本発明の電子カメラ装置について、図面を参照しながら説明する。
【実施例１】
【０００９】
図１は、本発明の実施例にかかる電子カメラ装置が使用されるシステムの構成例を示す図である。本システムは、電子カメラ装置１、ＤＶＤレコーダ２、ＴＶモニタ３から構成されており、電子カメラ装置１とＤＶＤレコーダ２はＬＡＮケーブル４で、ＤＶＤレコーダ２とＴＶモニタ３はＶｉｄｅｏケーブル５で接続されている。後述する電子カメラ装置１で撮像された画像に関するスライドショーの動画は、ＬＡＮケーブル４を介してＤＶＤレコーダ２に転送され、ＤＶＤに記録される。ＤＶＤに記録されたスライドショーの動画は、Ｖｉｄｅｏケーブル５を介してＴＶモニタ３に映し出され、ユーザは視聴することができる。
【００１０】
図２は、電子カメラ装置１の構成を示す図である。電子カメラ装置１は、ＣＰＵ１０１（スライドショー再生手段）、メモリ１０２、撮像素子１０３（撮像手段）、信号処理回路１０４、ＪＰＥＧ（Ｊｏｉｎｔ  Ｐｈｏｔｏｇｒａｐｈｉｃ  Ｅｘｐｅｒｔｓ  Ｇｒｏｕｐ）圧縮伸張回路１０５、ＭＰＥＧ圧縮伸張回路１０６（動画データ生成手段）、ＨＤＤ１０７（記憶媒体）、ＨＤＤインタフェース１０８（記憶手段）、メモリカード１０９（記憶媒体）、メモリカードインタフェース１１０（記憶手段）、操作部１１１、ビデオデコーダ１１２、ＬＣＤドライバ１１３、ＬＣＤ（Ｌｉｑｕｉｄ  Ｃｒｉｓｔａｌ  Ｄｉｓｐｌａｙ）１１４、ＬＡＮ出力端子１１５（転送手段）、ＬＡＮコントローラ１１６、ＵＳＢ出力端子１１７（転送手段）、及びＵＳＢコントローラ１１８から構成される。
【００１１】
ＣＰＵ１０１は、操作部１１１から入力されるユーザの指示に応じて電子カメラ装置１の各部を統括制御する。また、ＨＤＤ１０７若しくはメモリカード１０９に格納される画像を所定時間毎に切り替えるスライドショーを作成する際、ＣＰＵ１０１が制御して画像の切り替えを行う。更に、自動露光演算、自動焦点調整演算等各種演算を実施する演算手段としても機能する。
【００１２】
ＣＰＵ１０１は、バスを介してメモリ１０２と接続されている。メモリ１０２には、ＣＰＵ１０１が実行するプログラム及び制御に必要な各種データや、アイコン等の画面表示に必要な情報等が格納されている。また、プログラムの展開領域及びＣＰＵ１０１の演算作業用領域としても使用されると共に、画像データや音声データの一時記憶領域としても利用される。
【００１３】
撮像素子１０３は、被写像の光を、入射光量に応じた電気的な画像信号に変換する。信号処理回路１０４は、撮像素子１０３で変換された電気的な画像信号をデジタル信号に変換した上で、輝度・色差信号生成、ガンマ補正、輪郭補正、ホワイトバランス補正等を、ＣＰＵ１０１からの制御に従って行う。処理後の画像データは、バスを介してメモリ１０２に格納される。
【００１４】
ＪＰＥＧ圧縮伸張回路１０５は、メモリ１０２に格納された画像データを、ＪＰＥＧ方式の圧縮フォーマットに圧縮する。圧縮された画像データは、バスを介して、ＨＤＤ１０７若しくはメモリカード１０９に記憶される。また、ＨＤＤ１０７若しくはメモリカード１０９に記憶された画像データをＬＣＤ１１４に表示する際には、ＪＰＥＧ圧縮伸張回路１０５で伸張された後、ビデオデコーダ１１２によりデコード処理されてＬＣＤドライバ１１３を介してＬＣＤ１１４に再生表示される。ＨＤＤ１０７及びメモリカード１０９に記憶された画像データからスライドショーの動画を作成する際にも、画像データの伸張はＪＰＥＧ圧縮伸張回路１０５で行われる。
【００１５】
ＭＰＥＧ圧縮伸張回路１０６は、メモリ１０２に格納された画像データを、ＭＰＥＧ方式の動画フォーマットに圧縮する。圧縮された画像データは、バスを介して、ＨＤＤ１０７若しくはメモリカード１０９に記憶される。また、ＨＤＤ１０７若しくはメモリカード１０９に記憶された動画像データをＬＣＤ１１４に表示する際には、ＭＰＥＧ圧縮伸張回路１０６で伸張された後、ビデオデコーダ１１２によりデコード処理されて、ＬＣＤドライバ１１３を介してＬＣＤ１１４に再生表示される。また、後述するスライドショーの動画を作成する際に、ＭＰＥＧ形式に圧縮するのも、ＭＰＥＧ圧縮伸張回路１０６である。尚このとき、ＭＰＥＧ圧縮伸張回路１０６は、ＨＤＤ１０７若しくはメモリカード１０９に格納された音楽データ１０７ａ若しく１０９ａをあわせて動画データを作成することができる。
【００１６】
尚、ＭＰＥＧ圧縮伸張回路１０６は、通常のＭＰＥＧ方式への圧縮のみならず、ＤＶＤ−Ｖｉｄｅｏフォーマットの動画データを作成することができる。図３は、ＤＶＤ−Ｖｉｄｅｏフォーマットの構造を示す図である。尚、ＤＶＤ−Ｖｉｄｅｏフォーマットでの動画の圧縮形式は、ＭＰＥＧ２である。
【００１７】
ＤＶＤ−Ｖｉｄｅｏフォーマットで作成されるＶＯＢファイル３０は、１以上のセル３１から構成される。さらに、各セル３１は、１以上のビデオオブジェクトユニット（以下ＶＯＢＵ）３２により構成される。そして、各ＶＯＢＵ３２は、ナビゲーションパック（以下ＮＶパック）３３を先頭とする、ビデオパック（以下Ｖパック）３４、オーディオパック３５（以下Ａパック）、及び副映像パック（以下ＳＰパック）３６の集合体として構成されている。即ち、ＶＯＢＵ３２は、あるＮＶパック３３から次のＮＶパック３２の直前まで記録される全パックの集合として定義される。
【００１８】
ＶＯＢＵ３２の再生時間は、ＶＯＢＵ３２中に含まれる１以上の映像グループ（ＧＯＰ）で構成されるビデオデータの再生時間に相当し、その再生時間は０．４乃至１．２秒の範囲内に定められる。１ＧＯＰは、ＭＰＥＧ規格では通常約０．５秒であり、その間に１５枚程度の画像フレームを再生するように圧縮された画像データである。
【００１９】
ＶＯＢＵ３２がビデオデータを含む場合には、Ｖパック３４、Ａパック３５、ＳＰパック３６から構成されるＧＯＰが配列されてビデオデータストリームが構成される。しかし、このＧＯＰの数とは無関係に、ＧＯＰの再生時間を基準としてＶＯＢＵ３２が定められ、その先頭には常にＮＶパック３３が配置される。
【００２０】
ＮＶパック３３には、次に再生すべきＶＯＢＵ３２の相対アドレス等のデータが格納されている。Ｖパック３４には、映像に関するデータが、Ａパック３５には、音声に関するオーディオデータが格納される。
【００２１】
再び図２の説明に戻り、ＨＤＤ１０７及びメモリカード１０９は、ＪＰＥＧ圧縮伸張回路若しくはＭＰＥＧ圧縮伸張回路で圧縮された画像データを格納するための記憶媒体である。尚、ＨＤＤ１０７は電子カメラ装置１に内蔵されたものであり、メモリカード１０９は着脱可能となっている。また、ＨＤＤ１０７、及びメモリカード１０９には、それぞれ音楽データ１０７ａ、１０９ａが格納されている。
【００２２】
ＨＤＤインタフェース１０８、及びメモリカードインタフェース１１０は、それぞれＨＤＤ１０７及びメモリカード１０９のインタフェースである。ＨＤＤ１０７及びメモリカード１０９への画像データの記憶及び読み出しは、全てＨＤＤインタフェース１０８及びメモリカードインタフェース１１０を介して行われる。
【００２３】
ＬＡＮ出力端子１１５及びＵＳＢ出力端子１１７は、其々ＬＡＮコントローラ１１６及びＵＳＢコントローラ１１８の制御の下、ＨＤＤ１０７及びメモリカード１０９に格納された画像データや、スライドショーの動画データを外部に出力するための出力端子である。図１のシステム構成例では、ＬＡＮ出力端子１１５にＬＡＮケーブル４が接続され、これによりＤＶＤレコーダ２にスライドショーの動画データを出力することができるようになっている。
【００２４】
次に、スライドショーの動画データを作成する際の処理の流れについて説明する。図４は、本発明でスライドショーの動画データを作成する際の、ＣＰＵ１０１の処理の流れを示すフローチャートである。
【００２５】
まず、ＣＰＵ１０１は、ＨＤＤ１０７若しくはメモリカード１０９から、画像データを読み込み、これをＪＰＥＧ圧縮伸張回路１０５においてＪＰＥＧ伸張を行う（Ｓ４０１）。このとき読み込む画像データは、ユーザがスライドショーを作成する際に選択した画像のうち、先頭のものである。
【００２６】
さらに、ＣＰＵ１０１は、ＭＰＥＧ圧縮伸張回路１０６に対して、ＪＰＥＧ圧縮伸張回路１０５で伸張した画像、及びユーザの選択した音楽データ１０７ａ若しくはユーザ１０９ａのＭＰＥＧ圧縮記録を開始させる（Ｓ４０２）。尚、この際、ＭＰＥＧ圧縮伸張回路１０６は、図３に示したＤＶＤ−Ｖｉｄｅｏフォーマットでスライドショーの動画データを作成する。作成された動画データは、順次ＨＤＤ１０７若しくはメモリカード１０９に記憶される。
【００２７】
次に、ＣＰＵ１０１はＪＰＥＧ圧縮伸張回路１０５による画像データの再生を開始してから、予め定められた所定時間が経過したか否かを判断し（Ｓ４０３）、所定時間経過していなければ（Ｓ４０３のＮｏ）所定時間経過まで待つ（Ｓ４０３）。画像データの再生を開始してから所定時間が経過すれば（Ｓ４０３のＹｅｓ）、ＣＰＵ１０１は、スライドショーとして再生すべき画像データが残っているか否かを判断する（Ｓ４０４）。スライドショーとして再生すべき画像データがもうなければ（Ｓ４０４のＹｅｓ）、ＣＰＵ１０１はＭＰＥＧ圧縮伸張回路１０６による録画を終了させ（Ｓ４０５）、処理を終了する。
【００２８】
スライドショーとして再生すべき画像データが残っていれば（Ｓ４０４のＮｏ）、画像を切り替える際にアニメーションを挿入するか否かを判定する（Ｓ４０６）。このアニメーションを挿入するか否かは、ユーザの設定により定められる。アニメーションを挿入する設定となっていれば（Ｓ４０６のＹｅｓ）、ＣＰＵ１０１はアニメーションを挿入した上で（Ｓ４０７）、次の画像データをＨＤＤ１０７若しくはメモリカード１０９から読み込み、ＪＰＥＧ圧縮伸張回路１０６でＪＰＥＧ伸張を行う（Ｓ４０８）。
【００２９】
図５及び図６は、Ｓ４０７で挿入されるアニメーションの例を示す図である。図５の例では、「Ａ」という画像が表示された状態（図５の（ａ））から、画面の中心から徐々に拡大する円形のウィンドウに次の画像「Ｂ」を表示することにより（図５（ｂ））、最終的に画像「Ｂ」に切り替わる（図５の（ｃ））。
【００３０】
図６の例では、「Ａ」という画像が表示された状態（図６の（ａ））から、「Ａ」の画像が縦長の矩形に分割され、その其々が交互に上方向及び下方向に移動し（図６の（ｂ）（ｃ））、最終的に「Ｂ」という画像に切り替わる（図６の（ｄ））。尚、Ｓ４０７で画像切り替えの際に挿入されるアニメーションは、図５及び図６以外の他のアニメーションであっても良いことは言うまでも無い。
【００３１】
画像切り替えの際に、アニメーションを挿入する設定となっていなければ（Ｓ４０６のＮｏ）、ＣＰＵ１０１は、アニメーションを挿入せずに、次の画像データをＨＤＤ１０７若しくはメモリカード１０９から読み込み、ＪＰＥＧ圧縮伸張回路１０６でＪＰＥＧ伸張を行う（Ｓ４０８）。
【００３２】
次に再生すべき画像データの伸張（Ｓ４０８）が終了すれば、ＣＰＵ１０１の処理はＳ４０３へ戻る。
図７は、図４で説明した処理によりスライドショーの動画データを作成するタイムチャートを示す図である。尚、図７（ａ）は、Ｓ４０６でアニメーションを挿入しない場合（図４のＳ４０６のＮｏ）、図７（ｂ）はＳ４０６でアニメーションを挿入する場合（図４のＳ４０６のＹｅｓ）のタイムチャートである。
【００３３】
時刻Ｔ０においてＣＰＵ１０１は画像１の読み込み（図４のＳ４０１）及び動画の記録を開始し（図４のＳ４０２）、再生時間ｔの経過を待って（図４のＳ４０３）、次の画像を読み込む（図４のＳ４０８）。この際、ユーザがアニメーションを挿入するように設定している場合には（図４のＳ４０６のＹｅｓ）、ＣＰＵ１０１は各画像間にアニメーションを挿入する（図４のＳ４０７）ので、図７（ｂ）のようなタイムチャートとなる。
【００３４】
このような処理を、スライドショーとして再生すべき画像データがなくなるまで繰り返し、再生すべき画像データがなくなれば（図４のＳ４０４のＹｅｓ、図７の時刻Ｔ１）、ＣＰＵ１０１は動画データの記録を停止する（図４のＳ４０５）。
【００３５】
図８は、スライドショーを動画データへ変換する際の設定メニューの例である。図８の例では、画像データの再生間隔、アニメーション挿入の可否、スライドショーで表示する画像、スライドショーの動画データと合わせる音楽データ１０７ａ若しくは１０９ａの選択をユーザが設定可能とし、設定項目に応じて、スライドショーの動画データのトータルの時間、及びファイル容量を確認することができる。
【００３６】
以上説明したように、本実施例によれば、電子カメラ装置１で撮像した画像をスライドショーの動画データを作成し、このデータを直接ＤＶＤレコーダ２等に出力することができるので、例えばＰＣに一度画像データを移動させた後に、何らかのアプリケーションを用いてスライドショーの動画データを作成する場合と比して、ユーザの手間の軽減を図ることができる。さらに、作成されるスライドショーの動画データは、広く普及したＭＰＥＧ規格に基づくものであるので、多くの機器で視聴することが可能である。
【００３７】
さらに、電子カメラ装置１のＭＰＥＧ圧縮伸張回路では、ＤＶＤ−Ｖｉｄｅｏフォーマットとして動画データを作成することができるので、このデータをＤＶＤレコーダ２に出力し、これを再変換することなく直接ＤＶＤに保存することができる。
【００３８】
また、本実施例では、スライドショーの動画データを一度ＨＤＤ１０７若しくはメモリカード１０９に保存し、それをＬＡＮ出力端子１１５若しくはＵＳＢ出力端子１１７から出力できるようにしているので、ＭＰＥＧ圧縮伸張回路１０６で作成される動画データを順次出力する場合と比して、データの転送速度を上げることが可能である。
【００３９】
本実施例では、ＭＰＥＧ圧縮伸張回路１０６がスライドショーの動画データを作成する際に、撮像した画像データのみならず、ＨＤＤ１０７若しくはメモリカード１０９に格納された音楽データ１０７ａ若しくは音楽データ１０９ａもあわせて動画データを作成することができる。また、画像切り替えの際に、例えば図５や図６に示したようなアニメーションを挿入することができる。これにより、より多様なコンテンツをユーザが作成することが可能となる。
【００４０】
尚、本実施例における図１の説明では、電子カメラ装置１とＤＶＤレコーダ２との接続は、ＬＡＮケーブル４を介して行ったが、他にも、ＵＳＢケーブル等を使用して接続してもよく、また、メモリカード１０９にスライドショーの動画を記録させ、それをＤＶＤレコーダ２に読み込ませても良い。
【００４１】
また、本実施例の図８の設定メニューでは、再生間隔をユーザが指定しているが、ユーザはトータルの時間或いはトータルのファイル容量を設定し、それに応じて再生間隔をＣＰＵ１０１が判断するようにしても良い。
【図面の簡単な説明】
【００４２】
【図１】本発明の実施例１に係る電子カメラ装置が使用されるシステムの構成例を示す図。
【図２】本発明の実施例１に係る電子カメラ装置の構成を示す図。
【図３】ＤＶＤ−Ｖｉｄｅｏフォーマットについて説明するための図。
【図４】本発明の実施例１に係る電子カメラ装置でスライドショーの動画を作成する際の処理の流れを示すフローチャート。
【図５】本発明の実施例１に係る電子カメラ装置が作成するスライドショーで画像切り替えの際に挿入するアニメーションの例を説明するための図。
【図６】本発明の実施例１に係る電子カメラ装置が作成するスライドショーで画像切り替えの際に挿入するアニメーションの例を説明するための図。
【図７】本発明の実施例１に係る電子カメラ装置がスライドショーの動画データを作成する際のタイムチャートを示す図。
【図８】本発明の実施例１に係る電子カメラ装置の、スライドショーを動画データへ変換する際の設定メニューの例を示す図。
【符号の説明】
【００４３】
１・・・電子カメラ装置
２・・・ＤＶＤレコーダ
３・・・ＴＶモニタ
４・・・ＬＡＮケーブル
５・・・Ｖｉｄｅｏケーブル
３０・・・ＶＯＢファイル
３１・・・セル
３２・・・ビデオオブジェクトユニット
３３・・・ナビゲーションパック
３４・・・ビデオパック
３５・・・オーディオパック
３６・・・副映像パック
１０２・・・メモリ
１０３・・・撮像素子
１０４・・・信号処理回路
１０５・・・ＪＰＥＧ圧縮伸張回路
１０６・・・ＭＰＥＧ圧縮伸張回路
１０７・・・ＨＤＤ
１０７ａ・・・音楽データ
１０８・・・ＨＤＤインタフェース
１０９・・・メモリカード
１０９ａ・・・音楽データ
１１０・・・メモリカード
１１１・・・操作部
１１２・・・ビデオデコーダ
１１３・・・ＬＣＤドライバ
１１４・・・ＬＣＤ
１１５・・・ＬＡＮ出力端子
１１６・・・ＬＡＮコントローラ
１１７・・・ＵＳＢ出力端子
１１８・・・ＵＳＢコントローラ
【図１】
2006279834.tif 000003
【図２】
2006279834.tif 000004
【図３】
2006279834.tif 000005
【図４】
2006279834.tif 000006
【図５】
2006279834.tif 000007
【図６】
2006279834.tif 000008
【図７】
2006279834.tif 000009
【図８】
2006279834.tif 000010